(57)【要約】【課題】猫の遊戯部材を、家屋内空間を有効利用できる位置方向に取付固定することにより、また、猫が利用しやすい位置方向高さに取付固定することにより、常に利用しやすい環境で愛玩猫を遊ばせることができる愛玩猫用遊戯具を提供する。【解決手段】遊戯部材１を支持する支持部材３及び基礎部材４を含む本体と、これらを任意の設置対象物Ｐに取付固定させる挟持受部材５を含む取付手段とを備え、取付手段が本体を設置対象物Ｐに取付固定した状態で、設置対象物Ｐに対する遊戯部材１の相対的な姿勢を変更するようにしてある【選択図】図１
2011097877.tif 000002
【特許請求の範囲】
【請求項１】
愛玩猫に運動又は休憩などを行わせる遊戯部材を備える愛玩猫用遊戯具において、
前記遊戯部材を支持する本体と、
該本体を任意の設置対象物に取付固定させる取付手段と
を備え、
該取付手段が本体を設置対象物に取付固定した状態で、該設置対象物に対する遊戯部材の相対的な姿勢を変更可能にしてあることを特徴とする愛玩猫用遊戯具。
【請求項２】
前記本体は、
前記遊戯部材を支持するブラケットを有する支持部材と、
前記取付手段により設置対象物に取付固定された状態で、少なくとも該設置対象物に向かう方向を軸方向として揺動自在に前記支持部材を装着する基礎部材と、
前記支持部材及び／又は基礎部材に形成された、前記支持部材の揺動を規制する揺動規制部材と
を備えることを特徴とする請求項１に記載の愛玩猫用遊戯具。
【請求項３】
前記取付手段は、
前記基礎部材が有する挟持部と対をなす挟持受部材と、
前記設置対象物への接触状態にある前記挟持部（又は挟持受部材）の位置を基準として前記挟持受部材（又は挟持部）を設置対象物を挟んで対向する位置に配置し、前記挟持部と挟持受部材とを締め付ける緊締手段と
を備えることを特徴とする請求項１又は２に記載の愛玩猫用遊戯具。
【請求項４】
前記取付手段は、前記支持部材を前記設置対象物に直接固定させる固設手段を更に備えることを特徴とする請求項１乃至３の何れかに記載の愛玩猫用遊戯具。
【発明の詳細な説明】
【技術分野】
【０００１】
本発明は、愛玩猫に運動又は休憩などをさせる遊戯部材を任意の設置対象物に取り付けることができる愛玩猫用遊戯具に関する。
【背景技術】
【０００２】
猫は、一般的な愛玩動物であり、多くの家庭で飼育されている。猫は、野生であるか愛玩であるかを問わず、おおむね体高の５倍程度（約１．５m程度）の高所に跳び上がり、他の高所に跳び移るなど、高所での運動や休憩を好む。そのため、多くの愛玩猫は、放し飼いにされて野生猫の如く屋根や樹木などの高所を昇降するなど、自由奔放に振る舞わせていた。
【０００３】
しかし、近年、放し飼いにされた愛玩猫の排泄物又は悪戯が問題視されるようになったため、愛玩猫の放し飼いを禁止する条例が制定されるようになり、多くの愛玩猫が室内にて飼育されるようになった。そのため、室内飼いの愛玩猫は、運動不足により肥満気味に陥っている。
【０００４】
そこで、室内飼いの愛玩猫に運動させるための遊戯部材と、この遊戯部材を室内に設置するための支柱とを備える猫用遊戯具が提案された（例えば、特許文献１）。
【特許文献１】特開２００２−３１５４６５号公報
【発明の概要】
【発明が解決しようとする課題】
【０００５】
しかしながら、先に提案された愛玩猫用遊戯具は、天井と床面との間に支柱を突っ張り固定する構造となっているので、設置可能な場所が限られ、階段の手摺り、引き戸の把手、バルコニの柵柱など、様々な場所に取り付けることができない。また、先に提案された愛玩猫用遊戯具は、遊戯部材の取付高さが固定されている構造となっているので、例えば、跳躍力が衰えた老猫又は跳躍力が弱い仔猫などのために取付高さを変更することができない。
【０００６】
本発明はかかる事情に鑑みてなされたものであり、遊戯部材を支持する本体と、本体を任意の設置対象物に取付固定させる取付手段とを備え、取付手段が本体を設置対象物に取付固定した状態で、設置対象物に対する遊戯部材の相対的な姿勢を変更するようにしてあることにより、常に利用しやすい環境で愛玩猫を遊ばせることができる愛玩猫用遊戯具を提供することを目的とする。
【課題を解決するための手段】
【０００７】
本発明に係る愛玩猫用遊戯具は、愛玩猫に運動又は休憩などを行わせる遊戯部材を備える愛玩猫用遊戯具において、前記遊戯部材を支持する本体と、該本体を任意の設置対象物に取付固定させる取付手段とを備え、該取付手段が本体を設置対象物に取付固定した状態で、該設置対象物に対する遊戯部材の相対的な姿勢を変更可能にしてあることを特徴とする。
【０００８】
本発明に係る愛玩猫用遊戯具にあっては、例えば、傾斜する手摺りに本体を取付固定した状態であっても、手摺りに対する遊戯部材の相対的な姿勢を変更することにより、遊戯部材が、水平姿勢となり、且つ、愛玩猫が昇降しやすい方向を向くようになるので、常に利用しやすい環境で愛玩猫を遊ばせることができる。
【０００９】
また、本発明に係る愛玩猫用遊戯具は、前記本体は、前記遊戯部材を支持するブラケットを有する支持部材と、前記取付手段により設置対象物に取付固定された状態で、少なくとも該設置対象物に向かう方向を軸方向として揺動自在に前記支持部材を装着する基礎部材と、前記支持部材及び／又は基礎部材に形成された、前記支持部材の揺動を規制する揺動規制部材とを備える構造であってもよい。
【００１０】
本発明に係る愛玩猫用遊戯具にあっては、例えば、傾斜する手摺りに本体を取付固定した状態であっても、遊戯部材を手摺りに向かう方向を軸方向として揺れ動かすことにより、遊戯部材を水平姿勢にできるので、常に利用しやすい環境で愛玩猫を遊ばせることができる。また、上述の揺動規制部材を備えることにより、取付状態にある遊戯部材が突然揺れ動き、遊戯部材で休憩する猫が落下するという事態を回避することができる。
【００１１】
また、本発明に係る愛玩猫用遊戯具は、前記取付手段は、前記基礎部材が有する挟持部と対をなす挟持受部材と、前記設置対象物への接触状態にある前記挟持部（又は挟持受部材）の位置を基準として前記挟持受部材（又は挟持部）を設置対象物を挟んで対向する位置に配置し、前記挟持部と挟持受部材とを締め付ける緊締手段とを備える構造であってもよい。
【００１２】
本発明に係る愛玩猫用遊戯具にあっては、上記の緊締手段を備えることにより、例えば、挟持受部材が設置対象物の影に隠れて視認することができない場合であっても、挟持部又は挟持受部材を手探りで正しい位置に配置させることができる。
【００１３】
更にまた、本発明に係る愛玩猫用遊戯具は、前記取付手段は、前記支持部材を前記設置対象物に直接固定させる固設手段を更に備える構造であってもよい。
【００１４】
本発明に係る愛玩猫用遊戯具にあっては、遊戯部材を支持するブラケットを有する支持部材を直接固定させる手段を更に備えることにより、鴨居、梁、柱又は壁材など、挟み込みによる固定が困難な場合の取付手段を有する。
【発明の効果】
【００１５】
本発明に係る愛玩猫用遊戯具にあっては、猫の遊戯部材を、家屋内空間を有効利用できる位置方向に取付固定することができ、また、猫が利用しやすい位置方向高さに取付固定することができるので、遊戯具としての利便性が向上する。また、視認することのできない場所への挟持部材の取付も確実に行うことができ、利便性が更に向上する。更にまた、本体を直接固定する取付を選択することができるので、様々な場所に設置でき、利便性が更に向上する。
【図面の簡単な説明】
【００１６】
【図１】本発明に係る愛玩猫用遊戯具の全体構成を示す斜視図である。
【図２】本発明に係る愛玩猫用遊戯具を構成する部材を示す斜視図である。
【図３】図２と異なる部材の一例を示す斜視図であって、（ａ）は第１例を示す図であり、（ｂ）は第２例を示す図である。
【図４】本発明に係る愛玩猫用遊戯具の設置対象物への取付態様を示す平面図であって、（ａ）は第１取付態様を示す図であり、（ｂ）は第２取付態様を示す図であり、（ｃ）は第３取付態様を示す図である。
【図５】本発明に係る愛玩猫用遊戯具を構成する部材間の取付例を示す斜視図である。
【図６】図５と異なる部材間の取付例を示す斜視図である。
【図７】図５及び図６と異なる部材間の取付例を示す斜視図である。
【図８】本発明に係る愛玩猫用遊戯具を構成する部材の一例を示す斜視図であって、（ａ）は第１例を示し、（ｂ）は第２例を示す。
【図９】木天寥を収容する一例を示す図であって、（ａ）は第１例を示す図であり、（ｂ）は第２例を示す図である。
【発明を実施するための形態】
【００１７】
実施の形態１.
本発明に係る愛玩猫用遊戯具を本実施の形態を示す図に基づいて以下説明する。図１は本発明に係る愛玩猫用遊戯具の全体構成を示す斜視図、図２は本発明に係る愛玩猫用遊戯具を構成する部材を示す斜視図、図３は図２と異なる部材の一例を示す斜視図であって、（ａ）は第１例を示す図であり、（ｂ）は第２例を示す図である。
【００１８】
図１乃至図３に示すとおり、愛玩猫用遊戯具は、遊戯部材１、ブラケット２、支持部材３、基礎部材４、挟持受部材５、固定用ハンドルねじ６、締め付け用ハンドルねじ７及び調整部材８を備える。
【００１９】
遊戯部材１は、猫に運動又は休憩させるための部材であり、昇降用の棚のほか、図８に示すような、猫小屋又は休憩用のかごなど、様々な態様のものが存在する。
【００２０】
なお、本実施の形態では、昇降用の棚を一例として説明する。また、棚は、矩形、真円、長円及び雲形など様々な形状を有するが、本実施の形態では、矩形状の棚を一例として説明する。
【００２１】
遊戯部材１は、載置面１０、取付用孔１１、裏面１２、長手係止溝１３及び短手係止溝１４を備える。載置面１０は、上方を向くように配置され、猫に昇降又は休憩させる場所となる。取付用孔１１は、載置面１０の四隅及び辺中点にそれぞれ形成され、孔に通された紐によってネズミの人形玩具などが吊される。長手係止溝１３は、長手辺に沿って裏面１２に複数形成され、溝の両端に、棚の端面を略Ｔ字形に切り欠いた挿入部が形成されている。また、短手係止溝１４は、短手辺に沿って長手係止溝１３と交わるように形成され、溝の両端に、棚の端面を略Ｔ字形に切り欠いた挿入部が形成されている。
【００２２】
ブラケット２は、遊戯部材１を支持する部材であり、略直角三角形状の側面２０、垂直端面２１、上端面２２、レール２３及び取付用孔２４を備える。垂直端面２１と上端面２２とは、側面２０に連なり、且つ、逆Ｌ字形をなすように配置されている。垂直端面２１は、支持部材３の正面３０に接着固定されている。上端面２２は、基端から先端にかけてレール２３が形成されている。レール２３は、幅方向断面略Ｔ字形の係止部材である。取付用孔２４は、側面２０に複数形成され、孔に通された紐によってネズミの人形玩具などが吊される。
【００２３】
支持部材３は、ブラケット２を取付支持する部材であり、真円板、長円板、矩形板、雲形板、円錐台及び変形立体など様々な形状のものが存在する。
【００２４】
なお、本実施の形態では、真円板を一例として説明する。支持部材３は、正面３０、装着用孔３１、固定用孔３２、裏面３３、規制用凹み３４及び歯溝３５を備える。
【００２５】
裏面３３は、設置対象物Ｐに向かって配置される。正面３０は、面上に２つのブラケット２が接着固定されている。装着用孔３１は、正面３０の中心に形成されている。固定用孔３２は、正面３０の周縁部に複数形成されている。規制用凹み３４は、裏面３０の中心に形成され、凹みの内周面に歯溝３５が一定の間隔を開けて複数刻まれている。
【００２６】
基礎部材４は、支持部材３が装着される部材であり、真円板、長円板、矩形板、雲形板、円錐台及び変形立体など様々な形状のものが存在する。
【００２７】
なお、本実施の形態では、真円板を一例として説明する。基礎部材４は、装着面４０、装着用ねじ穴４１、規制用突起４２、歯４３、裏面４４、挟持用隆起４５、固定用溝４６及び締め付け用ねじ穴４７を備える。なお、本明細書において、「穴」は、深くえぐり取られた状態を示し、貫通する状態を示す「孔」とは異なる意味を有する。
【００２８】
裏面４４は、設置対象物Ｐと向き合うように配置される。装着面４０は、面の中心に装着用ねじ穴４１が形成されている。装着用ねじ穴４１は、穴の内周面に雌ねじが形成されている。規制用突起４２は、装着用ねじ穴４１の周辺に形成され、出っ張りの外周面に歯４３が一定の間隔を開けて複数形成されている。挟持用隆起４５は、挟持受部材５と対をなす挟持部であり、裏面４４に形成されている。固定用溝４６は、挟持用隆起４５の頂面の中央に、底に向かって徐々に幅狭となるように（即ち、幅方向断面視逆台形の空間ができるように）形成されている。締め付け用ねじ穴４７は、固定用溝４６を挟むように挟持用隆起４５の頂面の両端部に複数形成され、穴の内周面に雌ねじが形成されている。
【００２９】
挟持受部材５は、挟持用隆起４５と対となる部材であり、板本体５０、屈曲部分５１及び締め付け用孔５２を備える。屈曲部分５１は、板本体５０の中央付近が略コの字形に曲げられることにより生じた部分であり、上述の固定用溝４６と同じく、幅方向断面視逆台形の空間を有する溝をなしている。締め付け用孔５２は、屈曲部分５１を挟むように板本体５０の両端部に複数形成され、孔の開口が長円となるように形成されている。
【００３０】
固定用ハンドルねじ６は、支持部材３を基礎部材４に取付固定させる部材であり、ねじ軸６０及び操作ハンドル６１を備える。ねじ軸６０は、外周面に雄ねじが形成されている。操作ハンドル６１は、ねじ軸６０の端部に取り付けられ、操作ハンドル６１の外周面に滑り止め用の凹凸が形成されている。
【００３１】
締め付け用ハンドルねじ７は、挟持用隆起４５と挟持受部材５とを締め付ける部材であり、ねじ軸７０及び操作ハンドル７１を備える。ねじ軸７０は、外周面に雄ねじが形成され、軸の長さの異なる複数種類が存在する。操作ハンドル７１は、ねじ軸７０の端部に取り付けられ、操作ハンドル７１の外周面に滑り止め用の凹凸が形成されている。
【００３２】
調整部材８は、一対の半割の筒片であり、それぞれが設置対象物Ｐの外周面と、固定用溝４６又は屈曲部分５１との間に挟まれ、挟持用隆起４５及び挟持受部材５が設置対象物Ｐに接触するように調整するための部材である。調整部材８は、内面８０及び外面８１を備える。
【００３３】
内面８０は、設置対象物Ｐの外周面に接触する面であり、面の中央付近に、幅方向断面視逆台形の空間ができる溝が形成されている（図３（ａ）参照）。また、異なる態様として、内面８０全体が平坦にされている（図３（ｂ）参照）。
【００３４】
なお、上記の２態様は一例であり、その他、幅方向断面視円弧をなす溝など、設置対象物Ｐの断面形状に応じて様々な態様が存在する。また、外面８１は、面の中央に固定用溝４６又は屈曲部分５１に嵌り込む隆起が形成されている。
【００３５】
このように本発明に係る愛玩猫用遊戯具は、複数の部材によって構成されている。以下、これらの部材を用いた愛玩猫用遊戯具の取付について実施例に分けて説明する。図４は本発明に係る愛玩猫用遊戯具の設置対象物Ｐへの取付態様を示す平面図であって、（ａ）は第１取付態様を示す図であり、（ｂ）は第２取付態様を示す図であり、（ｃ）は第３取付態様を示す図である。
【００３６】
（実施例１）
図４（ａ）に示すように、基礎部材４は、挟持用隆起４５の固定用溝４６が設置対象物Ｐの外周面に手動で押し当てられ、位置決めされる。挟持受部材５は、位置決め状態にある挟持用隆起４５の位置を基準として、設置対象物Ｐを挟み、挟持用隆起４５と対向する位置に手動で配置される。挟持受部材５は、締め付け用孔５２に締め付け用ハンドルねじ７が刺し通され、ねじ軸７０の先端が挟持用隆起４５の締め付け用ねじ穴４７に臨む。
【００３７】
このとき、締め付け用ハンドルねじ７は、締め付け用孔５２の長円開口によって遊びを有し、締め付け用孔５２の案内により一定の移動が可能となるので、ねじ軸７０の先端が挟持用隆起４５の締め付け用ねじ穴４７に臨むように手動で移動調整される。締め付け用ハンドルねじ７は、操作ハンドル７１が操作されることにより、挟持用隆起４５の締め付け用ねじ穴４７にねじ込まれ、ねじ込みの度合いに応じて挟持用隆起４５と挟持受部材５とが徐々締め付けられる。
【００３８】
その結果、例えば、挟持受部材５が設置対象物Ｐの影に隠れて視認することができない場合であっても、締め付け用孔５２の案内による移動によって、挟持用隆起４５（又は挟持受部材５）の位置を基準として、挟持受部材５（又は挟持用隆起４５）を正しい位置に手探りで導き配置させることができる。
【００３９】
この状態で、遊戯部材１は、取付方向に応じて選択された長手係止溝１３又は短手係止溝１４の挿入部が、ブラケット２のレール２３に先端側から嵌め込まれ、基端に向かってスライドされることにより、溝部分が順次嵌め込まれる。ブラケット２を有する支持部材３は、遊戯部材１が水平姿勢となるように手動で位置調整がなされつつ、裏面３３の規制用凹み３４に基礎部材４の規制用突起４２が嵌り込み、基礎部材４に装着される。
【００４０】
このとき、規制用凹み３４は、歯溝３５と規制用突起４２の歯４３とが噛みあうことにより、支持部材３がねじ軸６０を軸として揺れ動かないように規制され、位置調整がなされた遊戯部材１の姿勢が保たれる。この状態で、固定用ハンドルねじ６が装着用孔３１に刺し通され、操作ハンドル６１が操作されて装着用ねじ穴４１にねじ込まれることにより、支持部材３が基礎部材４に密着固定される。また、遊戯部材１の姿勢を変更する場合は、操作ハンドル６１が緩められ、支持部材３の規制用凹み３４から基礎部材４の規制用突起４２がはずされて支持部材３が固定用ハンドルねじ６のねじ軸６０により支えられる状態（即ち、支持部材３の裏面３３が設置対象物Ｐに向かう状態）とされ、この状態で揺れ動かされて任意の姿勢に調整される。
【００４１】
（実施例２）
図４（ｂ）に示すように、小径円柱の設置対象物Ｐに取付固定させる場合、上記図３（ａ）の調整部材８が挟み込まれる。また、図４（ｃ）に示すように、角柱の設置対象物Ｐに取付固定させる場合、上記図３（ｂ）の調整部材８が挟み込まれる。
【００４２】
（実施例３）
また、設置対象物Ｐが鴨居、梁、柱、壁材又は塀など、固定用溝４６及び挟持受部材５による挟み込みが困難な場合、支持部材３の固定用孔３２に木ねじ又はタッピングねじなどをねじ込むことにより、遊戯部材１を支持するブラケット２を有する支持部材３を設置対象物Ｐに直接取付固定させる。
【００４３】
実施の形態２．
上述した実施の形態では、遊戯部材１がブラケット２にスライド係合する一例を説明した。しかし、本発明に係る愛玩猫用遊戯具は、これに限定されるものでなく、例えば、遊戯部材１を支持するブラケット２が、支持部材３にスライド係合するものであってもよい。
【００４４】
図５は本発明に係る愛玩猫用遊戯具を構成する部材間の取付例を示す斜視図である。遊戯部材１は、係止溝が形成されることなく、裏面１２にブラケット２が接着固定されている。
【００４５】
ブラケット２は、幅方向断面略Ｔ字形のレール２３が、上端面２２でなく、垂直端面２１に形成されている。本実施の形態に係る愛玩猫用遊戯具にあっては、４つのブラケット２が略井桁状となるように組み合わされた状態で、上端面２２が遊戯部材１の裏面１２に接着固定されている。このとき、４つのブラケット２のレール２３は、所定の２方向のいずれかを向くように配置されている。
【００４６】
支持部材３は、装着用孔３１を挟むように２本の係止溝３００が平行に形成されている。係止溝３００は、一端に支持部材３の端面を略Ｔ字形に切り欠いた挿入部が形成されている。一方、係止溝３００の他端は、支持部材３の端面まで及ばす、面上に形成されている。
【００４７】
これらの部材は、以下のように取り付けられる。遊戯部材１を支持するブラケット２は、いずれかの方向を向いたレール２３が、支持部材３の係止溝３００の挿入部に嵌め込まれ、スライドされることにより、溝部分に順次嵌り込む。レール２３は、係止溝３００の他端で受け止められるまで嵌り込む。
【００４８】
実施の形態３．
上述した実施の形態では、固定用ハンドルねじ６が基礎部材４の装着用ねじ穴４１に螺合する一例を説明した。しかし、本発明に係る愛玩猫用遊戯具は、これに限定されるものでなく、例えば、基礎部材４に形成された雄ねじが、操作ハンドル６１に形成された雌ねじに螺合するものであってもよい。
【００４９】
図６は図５と異なる部材間の取付例を示す斜視図である。基礎部材４は、装着面４０の中心からねじ軸６０が伸び出て、ねじ軸６０の外周面に雄ねじが形成されている。また、ねじ軸６０の基端周辺に規制用突起４２が形成され、出っ張りの外周面に歯４３が複数形成されている。操作ハンドル６１は、面の中心に装着用ねじ孔６２が形成され、孔の内周面に雌ねじが形成されている。
【００５０】
これらの部材は、以下のように取り付けられる。支持部材３は、装着用孔３１が基礎部材４のねじ軸６０に挿し貫かれながら、基礎部材４に向かって案内され、裏面３３の規制用凹み３４に基礎部材４の規制用突起４２が嵌り込む。この状態で、操作ハンドル６１の装着用ねじ孔６２に、支持部材３から突き出たねじ軸６０がねじ込まれることにより、支持部材３が基礎部材４に密着固定される。
【００５１】
実施の形態４．
上述した実施の形態では、締め付け用ハンドルねじ７が、挟持用隆起４５の締め付け用ねじ穴４７に螺合する一例を説明した。しかし、本発明に係る愛玩猫用遊戯具は、これに限定されるものでなく、例えば、挟持用隆起４５に形成された雄ねじが、操作ハンドル７１に形成された雌ねじに螺合するものであってもよい。
【００５２】
図７は図５及び図６と異なる部材間の取付例を示す斜視図である。基礎部材４は、挟持用隆起４５の頂面からねじ軸７０が伸び出て、ねじ軸７０の外周面に雄ねじが形成されている。操作ハンドル７１は、面の中心に締め付け用ねじ孔７２が形成され、孔の内周面に雌ねじが形成されている。挟持受部材５は、板本体の一端部に締め付け用孔５２が複数形成され、孔の開口が僅かに長円となるように形成されるとともに、板本体の他端部に切り欠き５００が形成されている。
【００５３】
これらの部材は、以下のように取り付けられる。挟持受部材５は、設置対象物Ｐへの接触状態にある挟持用隆起４５の位置を基準として、設置対象物Ｐを挟み、挟持用隆起４５と対向する位置に手動で配置される。具体的には、挟持受部材５は、ねじ軸７０が切り欠き５００に遊びがある状態で嵌め込まれ、嵌合状態にあるねじ軸７０により案内されながら、このねじ軸７０とは異なる別のねじ軸７０の先端が締め付け用孔５２に臨むように手探りで移動調整され、正しい位置に配置される。この状態で、操作ハンドル７１の締め付け用ねじ孔７２に、挟持用隆起４５から突き出たねじ軸７０がねじ込まれることにより、挟持用隆起４５と挟持受部材５とが締め付けられる。
【００５４】
実施の形態５．
本発明は、上述した実施の形態に、マタタビ（木天寥）の収容部を更に備えるようにしてもよい。木天寥は、猫の神経を刺激して陶酔させる効果を有し、猫をおびき寄せるためのえさとして又は猫の万病薬として用いられ、原木、実又は粉状などの形態で市販されている。一方、猫は、木天寥を多量摂取すると呼吸麻痺を起こして死亡するおそれがある。そこで、本発明は、猫が木天寥をかむ又はなめるなどして直接摂取しないように、猫が揮発した木天寥を間接的に摂取することができるような構造を備えてもよい。
【００５５】
図９は木天寥を収容する一例を示す図であって、（ａ）は第１例を示す図であり、（ｂ）は第２例を示す図である。図９（ａ）に示すように、固定用ハンドルねじ６に木天寥を収容する。固定用ハンドルねじ６は、木天寥の収容部６３、蓋６４及び揮発孔６５を更に備える。収容部６３は、操作ハンドル６１の内部がくりぬかれた穴であり、木天寥の原木、木天寥の実又は木天寥の粉を収容する。蓋６４は、収容する木天寥に直接接触することができないように、収容部６３の開口を塞ぐものであり、収容部６３の内周面に刻まれた雌ねじに螺合する。揮発孔６５は、蓋６４に形成され、蒸発した木天寥の臭気を排気する孔である。また、図９（ｂ）に示すように、遊戯部材１に木天寥を収容してもよい。遊戯部材１は、木天寥の収容部１５、揮発孔１６及び蓋１７を備える。収容部１５は、遊戯部材１の内部がくりぬかれた穴であり、穴の開口が着脱可能な蓋１７により塞がれ、収容する木天寥に直接接触することができないように工夫されている。揮発孔１６は、蒸発した木天寥の臭気を排気する孔である。なお、木天寥の収容部は、上述した２つの例に限定されるものでなく、支持部材３又は基礎部材４に形成されてもよい。
【００５６】
なお、上述した実施の形態においては、締め付け用孔５２の開口が長円であると説明した。しかし、本発明は、これに限定されるものでなく、この開口が、例えば、楕円、Ｔ字形又はＬ字形など、ねじ軸７０を所定の位置に規制案内することができる形状であればよい。
【００５７】
また、上述した実施の形態においては、切り欠き５００にねじ軸７０が嵌め込まれると説明した。しかし、本発明は、これに限定されるものでなく、例えば、挟持用隆起４５の一端部から、ねじ軸７０の代わりに、略Ｔ字形の掛け止め用突起が突き出ており、これが、切り欠き５００に遊びのある状態で掛け止めされ、挟持受部材５が、掛止状態にある突起により案内されながら、正しい位置に配置されるものであってもよい。
【００５８】
また、上述した実施の形態においては、切り欠き５００が挟持受部材５の一端部に形成され、締め付け用孔５２が他端部に形成されていると説明した。しかし、本発明は、これに限定されるものでなく、例えば、挟持受部材５の両端部に切り欠き５００が形成されるものであってもよい。
【００５９】
また、上述した実施の形態においては、固定用溝４６及び屈曲部分５１が幅方向断面視略台形の空間ができる溝であると説明した。しかし、本発明は、これに限定されるものでなく、これらが、例えば、幅方向断面視略波形をなす溝、幅方向断面視略円弧をなす溝、又は幅方向断面視Ｖ字形をなす溝など、設置対象物Ｐの外周面との接触面積を確保することができる形態であればよい。
【００６０】
また、上述した実施の形態においては、係止溝が長手辺又は短手辺に沿って形成されていると説明した。しかし、本発明は、これに限定されるものでなく、係止溝が一又は複数の方向に沿って形成されてあればよい。
【００６１】
更にまた、上述した実施の形態においては、レール２３が所定の２方向を向いていると説明した。しかし、本発明は、これに限定されるものでなく、レール２３が一又は複数の方向を向いていればよい。
【符号の説明】
【００６２】
１  遊戯具
２  ブラケット
３  支持部材
４  基礎部材
５  挟持受部材
６  固定用ハンドルねじ
７  締め付け用ハンドルねじ
８  調整部材
【図１】
2011097877.tif 000003
【図２】
2011097877.tif 000004
【図３】
2011097877.tif 000005
【図４】
2011097877.tif 000006
【図５】
2011097877.tif 000007
【図６】
2011097877.tif 000008
【図７】
2011097877.tif 000009
【図８】
2011097877.tif 000010
【図９】
2011097877.tif 000011